(57)【特許請求の範囲】
【請求項１】
所定の管轄範囲の電力使用量が画像形成装置による印刷を禁止すべき印刷禁止状態か否かを監視する電力管理装置と、前記管轄範囲に配置された画像形成装置とを備えた印刷システムであって、
前記画像形成装置は、
前記電力管理装置から前記印刷禁止状態か否かを示す情報を取得する電力情報取得部と、
前記印刷禁止状態で受信した印刷ジョブに係る印刷の実行を保留する保留部と、
前記保留部によって印刷の実行が保留にされた印刷ジョブの送信元に前記印刷禁止状態の解除後における印刷の実行の要否を問い合わせる実行要否確認部と、
印刷の実行が保留されている印刷ジョブのうち少なくとも前記実行要否確認部によって実行の必要が確認された印刷ジョブの印刷を前記印刷禁止状態が解除された後に実行する保留ジョブ実行部と、
を有する
ことを特徴とする印刷システム。
【請求項２】
前記電力管理装置は、前記管轄範囲の電力使用量を計測し、前記計測によって得た電力使用量と、前記管轄範囲で使用可能な電力量の許容値との比較に基づいて、前記印刷禁止状態か否かを判断する
ことを特徴とする請求項１に記載の印刷システム。
【請求項３】
前記電力管理装置は、前記許容値に関する設定変更を受け付ける
ことを特徴とする請求項２に記載の印刷システム。
【請求項４】
前記電力管理装置は、所定の情報源から前記管轄範囲で使用可能な電力の総量を示す電力使用可能総量情報を取得し、前記電力使用可能総量情報の示す電力量に、ユーザから設定された使用可能割合を乗じた値を、前記許容値にする
ことを特徴とする請求項２または３のいずれか１つに記載の印刷システム。
【請求項５】
前記画像形成装置は、前記印刷禁止状態で受信した印刷ジョブをＲＩＰ処理し、それによって得たラスターイメージデータを保存する
ことを特徴とする請求項１乃至４のいずれか１つに記載の印刷システム。
【請求項６】
前記実行要否確認部は、前記印刷禁止状態の解除後に、前記実行の要否の問い合わせを行う
ことを特徴とする請求項１乃至５のいずれか１つに記載の印刷システム。
【請求項７】
前記画像形成装置は、前記印刷禁止状態が解除された場合に、前記保留されている各印刷ジョブの印刷完了予定時刻を推定し、前記保留されている印刷ジョブの送信元にその印刷ジョブの印刷完了予定時刻を通知する
ことを特徴とする請求項１乃至６のいずれか１つに記載の印刷システム。
【請求項８】
前記画像形成装置は、前記実行要否確認部によって前記問い合わせの結果に基づいて実行不要と判定した場合は、その印刷ジョブに係るラスターイメージデータを消去する
ことを特徴とする請求項５に記載の印刷システム。
【請求項９】
所定の管轄範囲に配置される画像形成装置であって、
前記管轄範囲の電力使用量が画像形成装置による印刷を禁止すべき印刷禁止状態か否かを監視する電力管理装置から前記印刷禁止状態か否かを示す情報を取得する電力情報取得部と、
前記印刷禁止状態で受信した印刷ジョブに係る印刷の実行を保留する保留部と、
前記保留部によって印刷の実行が保留にされた印刷ジョブの送信元に前記印刷禁止状態の解除後における印刷の実行の要否を問い合わせる実行要否確認部と、
印刷の実行が保留されている印刷ジョブのうち少なくとも前記実行要否確認部によって実行の必要が確認された印刷ジョブの印刷を前記印刷禁止状態が解除された後に実行する保留ジョブ実行部と、
を有する
ことを特徴とする画像形成装置。
【請求項１０】
前記印刷禁止状態で受信した印刷ジョブをＲＩＰ処理し、それによって得たラスターイメージデータを保存する
ことを特徴とする請求項９に記載の画像形成装置。
【請求項１１】
前記実行要否確認部は、前記印刷禁止状態の解除後に、前記実行の要否の問い合わせを行う
ことを特徴とする請求項９または１０のいずれか１つに記載の画像形成装置。
【請求項１２】
前記画像形成装置は、前記印刷禁止状態が解除された場合に、前記保留されている各印刷ジョブの印刷完了予定時刻を推定し、前記保留されている印刷ジョブの送信元にその印刷ジョブの印刷完了予定時刻を通知する
ことを特徴とする請求項９乃至１１のいずれか１つに記載の画像形成装置。
【請求項１３】
前記画像形成装置は、前記実行要否確認部によって前記問い合わせの結果に基づいて実行不要と判定した場合は、その印刷ジョブに係るラスターイメージデータを消去する
ことを特徴とする請求項１０乃至１２のいずれか１つに記載の画像形成装置。
【発明の詳細な説明】
【技術分野】
【０００１】
本発明は、電力使用量ピーク時間帯を回避して印刷を行う印刷システム及び画像形成装置に関する。
【背景技術】
【０００２】
近年、過剰な電力使用による広範囲での停電を回避するために、オフィス等で使用される電気機器等のピーク消費電力を抑制することが求められている。
【０００３】
電力ピーク時の印刷を回避する方法としては、たとえば、特許文献１には、複数の印刷機の総消費電力を計測し、その総消費電力と、全印刷機において使用可能な総電力量とに基づいて、対象の印刷機は起動可能か否かを判断する方法が記載されている（特許文献１）。
【先行技術文献】
【特許文献】
【０００４】
【特許文献１】特開２００８−１６７５４４号公報
【特許文献２】特開２０１１−２０２６７号公報
【特許文献３】特開２００４−２９８９２号公報
【発明の概要】
【発明が解決しようとする課題】
【０００５】
上記の方法では、電力使用量がピークの時間帯にユーザが印刷ジョブを投入しても、実行不可能である旨の応答しかないため、印刷ジョブを実行させるためにはユーザ自身が、電力使用量がピークの時間帯を避けて印刷ジョブを投入しなければならない。
【０００６】
特許文献２には、省電力モード中に指示された印刷ジョブをホールドしておき、省電力モードから通常電力モードに復帰した際に、ホールドしておいた印刷ジョブをまとめて実行する方法が開示されている。この方法では、複数の印刷ジョブをホールドしておき、それらの印刷ジョブをまとめて実行するため、特許文献１の問題点は解消される。また省電力モードから通常電力モードへの復帰回数が減ることで、その分の消費電力を抑えることができる。しかし、いつごろ印刷ジョブが実行されるかがわからないので、ユーザは印刷物を取りに行くタイミングがわからない。
【０００７】
また、省電力モードから通常電力モードに復帰するまでの間に、ユーザにとって、ホールドしておいた印刷ジョブの実行が不必要なものになってしまった場合は、その印刷ジョブの実行自体が無駄になってしまう（資源と電力の両方が無駄になってしまう）という問題がある。
【０００８】
本発明は、上記の問題を解決しようとするものであり、電力使用量ピーク時間帯を回避しつつ印刷を行い、印刷予定時刻にその印刷がユーザにとって不要な場合にはその印刷は行わない印刷システム及び画像形成装置を提供することを目的としている。
【課題を解決するための手段】
【０００９】
かかる目的を達成するための本発明の要旨とするところは、次の各項の発明に存する。
【００１０】
［１］所定の管轄範囲の電力使用量が画像形成装置による印刷を禁止すべき印刷禁止状態か否かを監視する電力管理装置と、前記管轄範囲に配置された画像形成装置とを備えた印刷システムであって、
前記画像形成装置は、
前記電力管理装置から前記印刷禁止状態か否かを示す情報を取得する電力情報取得部と、
前記印刷禁止状態で受信した印刷ジョブに係る印刷の実行を保留する保留部と、
前記保留部によって印刷の実行が保留にされた印刷ジョブの送信元に前記印刷禁止状態の解除後における印刷の実行の要否を問い合わせる実行要否確認部と、
印刷の実行が保留されている印刷ジョブのうち少なくとも前記実行要否確認部によって実行の必要が確認された印刷ジョブの印刷を前記印刷禁止状態が解除された後に実行する保留ジョブ実行部と、
を有する
ことを特徴とする印刷システム。
【００１１】
上記[１]および下記[９]に記載の発明では、所定の管轄範囲での電力使用量が、画像形成装置による印刷を禁止すべき印刷禁止状態か否かが監視される。画像形成装置は印刷禁止状態で受信した印刷ジョブに係る印刷の実行を保留し、その印刷ジョブの送信元に印刷禁止状態の解除後における印刷の実行の要否を問い合わせる。そして、印刷の実行が保留されている印刷ジョブのうち実行の必要が確認された印刷ジョブの印刷を、印刷禁止状態が解除された後に実行する。これにより、電力使用量ピーク時間帯は印刷禁止状態として印刷を回避し、印刷禁止状態が解除された際にユーザにとって不要な印刷を抑制することができる。
【００１２】
［２］前記電力管理装置は、前記管轄範囲の電力使用量を計測し、前記計測によって得た電力使用量と、前記管轄範囲で使用可能な電力量の許容値との比較に基づいて、前記印刷禁止状態か否かを判断する
ことを特徴とする［１］に記載の印刷システム。
【００１３】
上記発明では、電力管理装置が管轄範囲の電力使用量を計測し、その計測によって得た電力使用量と、管轄範囲で使用可能な電力量の許容値との比較に基づいて、画像形成装置が印刷禁止状態か否かを判断する。画像形成装置は、印刷禁止状態か否かを電力管理装置に確認する。
【００１４】
［３］前記電力管理装置は、前記許容値に関する設定変更を受け付ける
ことを特徴とする[２]に記載の印刷システム。
【００１５】
上記発明では、電力管理装置は管轄範囲で使用可能な電力量の許容値の設定変更を受け付ける。許容値を低く変更すると、変更前よりも少ない電力使用量で印刷禁止状態になる。
【００１６】
［４］前記電力管理装置は、所定の情報源から前記管轄範囲で使用可能な電力の総量を示す電力使用可能総量情報を取得し、前記電力使用可能総量情報の示す電力量に、ユーザから設定された使用可能割合を乗じた値を、前記許容値にする
ことを特徴とする［２］または［３］のいずれか１つに記載の印刷システム。
【００１７】
上記発明では、電力会社のWebページ等で公表されている電力使用量や、企業内のWebページ等の情報源から管轄範囲で使用可能な電力の総量を示す電力使用可能総量情報を取得し、この電力使用可能総量情報の示す電力量に、ユーザから設定された使用可能割合を乗じた値を、管轄範囲で使用可能な電力量の許容値とする。
【００１８】
［５］前記画像形成装置は、前記印刷禁止状態で受信した印刷ジョブをＲＩＰ処理し、それによって得たラスターイメージデータを保存する
ことを特徴とする［１］乃至［４］のいずれか１つに記載の印刷システム。
【００１９】
上記[５]および下記[１０]に記載の発明では、画像形成装置は、印刷禁止状態で受信した印刷ジョブをＲＩＰ（Raster image processor）処理し、それによって得たラスターイメージデータを保存しておく。これにより印刷禁止状態が解除された後、印刷の実行が決定した際に速やかに印刷を開始することができる。
【００２０】
［６］前記実行要否確認部は、前記印刷禁止状態の解除後に、前記実行の要否の問い合わせを行う
ことを特徴とする［１］乃至［５］のいずれか１つに記載の印刷システム。
【００２１】
上記[６]および下記[１１]に記載の発明では、印刷禁止状態の解除後に、実行が保留にされている印刷の実行の要否を問い合わせる。これにより、ユーザは画像形成装置にて、印刷禁止状態が解除され印刷が可能な状態になったと認識することができる。
【００２２】
［７］前記画像形成装置は、前記印刷禁止状態が解除された場合に、前記保留されている各印刷ジョブの印刷完了予定時刻を推定し、前記保留されている印刷ジョブの送信元にその印刷ジョブの印刷完了予定時刻を通知する
ことを特徴とする［１］乃至［６］のいずれか１つに記載の印刷システム。
【００２３】
上記[７]および下記[１２]に記載の発明では、印刷禁止状態が解除された場合に、保留されている各印刷ジョブの印刷完了予定時刻を推定し、その保留されている印刷ジョブの送信元にその印刷ジョブの印刷完了予定時刻を通知する。これにより、印刷ジョブのオーナーはこの印刷完了予定時刻を確認し、その時刻でもまだ印刷が必要か否かを判断することができる。
【００２４】
［８］前記画像形成装置は、前記実行要否確認部によって前記問い合わせの結果に基づいて実行不要と判定した場合は、その印刷ジョブに係るラスターイメージデータを消去する
ことを特徴とする［５］に記載の印刷システム。
【００２５】
上記[８]および下記[１３]に記載の発明では、印刷の実行要否の問い合わせに対して、印刷が不必要の回答を確認した場合、もしくは回答自体が確認されなかった場合は、その印刷ジョブに係るラスターイメージデータを消去する。
【００２６】
［９］所定の管轄範囲に配置される画像形成装置であって、
前記管轄範囲の電力使用量が画像形成装置による印刷を禁止すべき印刷禁止状態か否かを監視する電力管理装置から前記印刷禁止状態か否かを示す情報を取得する電力情報取得部と、
前記印刷禁止状態で受信した印刷ジョブに係る印刷の実行を保留する保留部と、
前記保留部によって印刷の実行が保留にされた印刷ジョブの送信元に前記印刷禁止状態の解除後における印刷の実行の要否を問い合わせる実行要否確認部と、
印刷の実行が保留されている印刷ジョブのうち少なくとも前記実行要否確認部によって実行の必要が確認された印刷ジョブの印刷を前記印刷禁止状態が解除された後に実行する保留ジョブ実行部と、
を有する
ことを特徴とする画像形成装置。
【００２７】
［１０］前記印刷禁止状態で受信した印刷ジョブをＲＩＰ処理し、それによって得たラスターイメージデータを保存する
ことを特徴とする［９］に記載の画像形成装置。
【００２８】
［１１］前記実行要否確認部は、前記印刷禁止状態の解除後に、前記実行の要否の問い合わせを行う
ことを特徴とする［９］または［１０］のいずれか１つに記載の画像形成装置。
【００２９】
［１２］前記画像形成装置は、前記印刷禁止状態が解除された場合に、前記保留されている各印刷ジョブの印刷完了予定時刻を推定し、前記保留されている印刷ジョブの送信元にその印刷ジョブの印刷完了予定時刻を通知する
ことを特徴とする［９］乃至［１１］のいずれか１つに記載の画像形成装置。
【００３０】
［１３］前記画像形成装置は、前記実行要否確認部によって前記問い合わせの結果に基づいて実行不要と判定した場合は、その印刷ジョブに係るラスターイメージデータを消去する
ことを特徴とする［１０］乃至［１２］のいずれか１つに記載の画像形成装置。
【発明の効果】
【００３１】
本発明に係る印刷システムおよび画像形成装置によれば、印刷を実行する際には電力使用量ピーク時間帯を回避し、なおかつ、ユーザが不要とする無駄な印刷は抑制することができる。
【図面の簡単な説明】
【００３２】
【図１】本発明の印刷システムを示す全体図である。
【図２】ＰＣ端末の概略構成を示すブロック図である。
【図３】電力管理サーバの概略構成を示すブロック図である。
【図４】画像形成装置の概略構成を示すブロック図である。
【図５】画像形成装置を示す正面図である。
【図６】電力管理サーバでの処理の流れを示す流れ図である。
【図７】画像形成装置での処理の流れを示す流れ図である
【図８】印刷ジョブの完了予定時刻の通知例を示す説明図である。
【発明を実施するための形態】
【００３３】
以下、図面に基づき本発明の実施の形態を説明する。
【００３４】
図１は、本発明の実施の形態に係る印刷システム５を示している。印刷システム５は、ＬＡＮ（Local Area Network）３を通じて、画像形成装置１０と、複数のＰＣ（Personal Computer）端末４０と、電力管理サーバ６０と、コピー機８０と、プリンタ８１と、プロッタ８２とで構成される。
【００３５】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣ端末４０から送出されたデータに係る画像を記録紙に印刷して出力する印刷ジョブなどのジョブを実行する機能を備えた、所謂、複合機である。また、画像形成装置１０は、印刷ジョブの内容によって、印刷後の記録紙に、パンチやステープル等の後処理を行うこともできる。
【００３６】
コピー機８０、プリンタ８１、プロッタ８２は、ジョブに基づいて印刷を行う印刷装置である。
【００３７】
ＰＣ端末４０は、ユーザの操作によって、印刷システム５を構成する画像形成装置１０、コピー機８０、プリンタ８１、プロッタ８２に、印刷ジョブを送信する。
【００３８】
電力管理サーバ６０は、予め決められた情報源（電力会社のWebページ等で公表されている電力使用量や、企業内情報掲示板等）から、電力使用可能総量情報を取得して、印刷システム５全体での使用可能な電力量の許容値である許容電力使用量を決定する。また、印刷システム５を構成する各装置の電力使用量を計測し、その電力使用量の合計が、許容電力使用量を超えないように、画像形成装置１０の動作を制御する機能を果たす。具体的には、画像形成装置１０が印刷ジョブを実行することで印刷システム５全体での電力使用量が増加しても、印刷システム５の許容電力使用量を超えない場合に、画像形成装置１０に印刷許可指示を送信し、既に印刷システム５の電力使用量が許容電力使用量を超えている場合、もしくは、画像形成装置１０が印刷ジョブを実行することで印刷システム５の使用電力量が増加し許容電力使用量を超える場合のいずれか一方の場合に、画像形成装置１０に印刷禁止指示を送信する。
【００３９】
本発明の印刷システム５においての基本的な処理の流れを説明する。まず、ユーザがＰＣ端末４０から画像形成装置１０に印刷ジョブを送信する。画像形成装置１０はこの印刷ジョブを受信したら、受信した印刷ジョブをＲＩＰ処理し、該ＲＩＰによって得たラスターイメージデータを蓄積、保存しておき、電力管理サーバ６０から印刷許可指示が出ているか否かを調べ、印刷許可指示が出ていたら直ぐに印刷を開始する。
【００４０】
印刷許可指示が出ていなかった場合（印刷禁止指示が出ていた場合）は、印刷禁止状態であるとして印刷許可指示が出るまで印刷の実行を保留する。電力管理サーバ６０から印刷許可が出たら、画像形成装置１０は、保留しておいた印刷ジョブの完了予定時刻を、その印刷ジョブのオーナー（印刷ジョブを送信したユーザ）に通知し、その時刻でも出力が必要か否かを確認する。必要であれば、印刷ジョブを実行し、不要であれば、印刷ジョブの実行を行わずにその印刷ジョブおよびラスターイメージデータを削除する。
【００４１】
これにより、電力使用量が許容電力使用量を超えてしまう場合は、画像形成装置１０は印刷を行わないよう制御される。また、印刷禁止状態が解除され、印刷が許可された状態に変わった時には、保留している印刷ジョブの完了予定時刻を印刷ジョブのオーナーに通知し、その時刻でも出力が必要か否かを確認することで、無駄な出力を抑制する。
【００４２】
図２は、ＰＣ端末４０の概略構成図を示す。ＰＣ端末４０は、当該ＰＣ端末４０の動作を制御するＣＰＵ（Central Processing Unit）４１と、このＣＰＵ４１に接続されたＲＯＭ（Read Only Memory）４２と、ＲＡＭ（Random Access Memory）４３と、不揮発メモリ４４と、ハードディスク装置４５と、表示部４６と、操作部４７と、ネットワークＩ／Ｆ部４８とを備えて構成されている。
【００４３】
ＣＰＵ４１はＯＳ（Operating System）プログラムをベースとし、その上で、ミドルウェアやアプリケーションプログラムなどが実行される。ＲＯＭ４２には各種のプログラムが格納されており、これらのプログラムに従ってＣＰＵ４１が処理を実行することで、ジョブの送信などＰＣ端末４０の各機能が実現される。ＲＡＭ４３はＣＰＵ４１がプログラムを実行する際に各種のデータを一時的に格納するワークメモリなどとして使用される。
【００４４】
不揮発メモリ４４は、電源がオフにされても記憶が保持できる書き換え可能なメモリ（フラッシュメモリ）である。不揮発メモリ４４には、端末固有の情報や各種の設定情報などが記憶される。ハードディスク装置４５は、大容量の不揮発の記憶装置であり、ＯＳプログラムや各種アプリケーションプログラム、ジョブに係る情報履歴、などが保存される。
【００４５】
表示部４６は、液晶ディスプレイ（ＬＣＤ…Liquid Crystal Display）などで構成されており、各種の操作、設定に係る内容を表示する機能を果たす。操作部４７は、ユーザからのジョブの投入や設定の変更など、各種の操作を受け付ける機能を果たす。操作部４７は、キーボードやマウスなどを備えて構成される。
【００４６】
ネットワークＩ/Ｆ部４８は、ＬＡＮ３などのネットワークを通じて接続されている他の外部装置などと通信を行う。ジョブの送信はネットワークＩ/Ｆ部４８を通じて行う。
【００４７】
図３は、電力管理サーバ６０の概略構成図を示す。電力管理サーバ６０は、制御部６１と、ＲＯＭ６２と、ＲＡＭ６３と、記憶部６４と、ネットワークＩ/Ｆ部６５と、時刻管理部７１とを備えて構成されている。電力管理サーバ６０の制御部６１は、電力使用可能総量情報取得部６６と、使用電力量測定部６７と、許容電力使用量決定部６８と、印刷許可判定部６９と、使用許可/禁止指令部７０としての機能を果たす。
【００４８】
ＲＯＭ６２には各種のプログラムが格納されており、これらのプログラムに従って制御部６１が処理を実行することで、電力管理サーバ６０の各機能が実現される。ＲＡＭ６３は制御部６１がプログラムを実行する際に各種のデータを一時的に格納するワークメモリなどとして使用される。
【００４９】
記憶部６４は、大容量の不揮発の記憶装置であり、印刷システム５の各装置の各機能を実施する際の消費電力量等の情報や、電力管理サーバ６０固有の情報や各種の設定情報、取得した電力使用可能総量情報、などが記憶される。
【００５０】
ネットワークＩ/Ｆ部１８は、ＬＡＮ３などのネットワークを通じて接続されている他の外部装置などと通信を行う。
【００５１】
電力使用可能総量情報取得部６６は、予め決められた情報源から、電力使用可能総量情報を取得する。情報源とは、電力会社のWebページや、企業内のWebページ等である。
【００５２】
使用電力量測定部６７は、印刷システム５を構成する各装置の電力使用量を測定する。たとえば、各装置に対応させて電力計測機を設置し、各電力計測機の計測値をネットワーク経由で収集する。
【００５３】
許容電力使用量決定部６８は、電力使用可能総量情報取得部６６が取得した電力使用可能総量情報に基づいて、印刷システム５全体での許容電力使用量を決定する。具体的には、電力使用可能総量に所定の割合（使用可能割合とする）を乗じた値を許容電力使用量とする。使用可能割合は、管理者などが設定変更可能であり、たとえば８０％等、適宜設定すればよい。
【００５４】
印刷許可判定部６９は、使用電力量測定部６７で測定した各装置の電力使用量の合計（合計使用電力量とする）と、許容電力使用量決定部６８が決定した許容電力使用量を比較し、画像形成装置１０に印刷禁止指示と印刷許可指示のどちらの指示を出すのかを判定する。
【００５５】
この時、画像形成装置１０が動作中ならば、合計使用電力量が許容電力使用量を超えている場合は、印刷禁止指示を出すと判定し、超えていなければ印刷許可指示を出すと判定する。
【００５６】
画像形成装置１０が動作中でなければ、合計使用電力量と画像形成装置１０が動作時に使用する電力量の合計が、許容電力使用量を超えている場合は、印刷禁止指示を出すと判定し、超えていなければ印刷許可指示を出すと判定する。
【００５７】
使用許可/禁止指令部７０は、印刷許可判定部６９が行った判定に基づいて、画像形成装置１０に印刷許可指示、もしくは印刷禁止指示を送信する。
【００５８】
時刻管理部７１は、時刻情報を管理している。電力使用可能総量情報の取得や、印刷システム５を構成する各装置の電力使用量の測定は、この時刻情報に基づき、それぞれ所定の周期で繰り返し行われる。たとえば、電力使用可能総量情報の取得は２時間ごとに、電力使用量の測定は、１０分ごとに行われる。
【００５９】
図４は画像形成装置１０の概略構成図を、図５は画像形成装置の正面図を示す。画像形成装置１０は、当該画像形成装置１０の動作を制御するＣＰＵ１１と、このＣＰＵ１１に接続されたＲＯＭ１２と、ＲＡＭ１３と、不揮発メモリ１４と、ハードディスク装置１５と、表示部１６と、操作部１７と、ネットワークＩ／Ｆ部１８と、画像読取部１９と、給紙部２０と、印刷部２１と、ＡＤＦ（Auto Documennt Feeder）２２と、後処理部２３とを備えて構成されている。
【００６０】
ＣＰＵ１１はＯＳプログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００６１】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴などが保存される。
【００６２】
表示部１６は、液晶ディスプレイなどで構成されており、各種の操作、設定に係る内容を表示する機能を果たす。操作部１７は、ユーザからのジョブの投入や設定の変更など、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。（図４、図５参照）
【００６３】
ネットワークＩ/Ｆ部１８は、ＬＡＮ３などのネットワークを通じて接続されている他の外部装置などと通信を行う。
【００６４】
画像読取部１９は、原稿を光学的に読み取って画像データを取得する機能を果たす。画像読取部１９は、たとえば、原稿台にセットした原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される（図４、図５参照）。
【００６５】
給紙部２０は、印刷を行う際に用紙を自動的に印刷位置にセットする自動給紙機能を果たす。給紙トレイにセットしておいた単票用紙（記録紙）を連続で供給するカットシードフィーダや、単票用紙（記録紙）を1枚ずつ手差しで供給するシートガイド等で構成される（図４、図５参照）。
【００６６】
印刷部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成は、インクジェット方式や、他の方式でもかまわない（図４、図５参照）。
【００６７】
ＡＤＦ２２は、画像を読み取る際に、複数枚の原稿を連続して原稿台に送る自動給紙装置としての機能を果たす。これにより、一度に３０枚程度の原稿をセットすることが可能で、原稿を読み取るごとに原稿台にセットし直す必要がなくなる（図４、図５参照）。
【００６８】
後処理部２３は、画像形成済みの記録紙に対して、ステープル、パンチ、紙折り、糊付け製本等の後処理を行う。実行される後処理の内容は、受信した印刷ジョブに基づいて行われる（図４、図５参照）。
【００６９】
次に、電力管理サーバ６０及び画像形成装置１０で行われる処理の流れについて説明する。
【００７０】
図６は電力管理サーバ６０で行われる処理の流れを示す。まず、予め決められた情報源より電力使用可能総量情報を取得する（ステップＳ１０１）。次に、取得した電力使用可能総量情報の電力使用可能総量に使用可能割合を乗算した値を、許容電力使用量として決定する（ステップＳ１０２）。
【００７１】
印刷システム５を構成する各装置の電力使用量を測定し、集計する（ステップＳ１０３）。集計した電力使用量（合計電力使用量）と、許容電力使用量を比較し（ステップＳ１０４）、画像形成装置１０に印刷禁止指示と印刷許可指示のどちらを送信するのかを判定する（ステップＳ１０５）。具体的には、画像形成装置１０が動作中ならば、合計使用電力量が許容電力使用量を超えているか否かを調べ、超えている場合は印刷禁止指示を出すと判定し、超えていなければ印刷許可指示を出すと判定する。また、画像形成装置１０が動作中でなければ、合計使用電力量と画像形成装置１０が動作時に使用する電力量の合計が、許容電力使用量を超えているか否かを調べ、超えている場合は印刷禁止指示を出すと判定し、超えていなければ印刷許可指示を出すと判定する。
【００７２】
印刷禁止指示を出すと判定されたら（ステップＳ１０５；Ｙｅｓ）、印刷禁止指示を画像形成装置１０に送信し（ステップＳ１０６）ステップＳ１０８に進む。印刷許可指示を出すと判定されたら（ステップＳ１０５；Ｎｏ）、印刷許可指示を画像形成装置１０に送信し（ステップＳ１０７）ステップＳ１０８に進む。
【００７３】
印刷システム５を構成する各装置の電力使用量を測定してから一定時間（たとえば１０分）が経過するまで待ち（ステップＳ１０８；Ｎｏ）、一定時間が経過したら（ステップＳ１０８；Ｙｅｓ）ステップＳ１０９に進む。次に、電力使用可能総量情報を取得してから一定時間（たとえば、２時間）が経過していなければ（ステップＳ１０９；Ｎｏ）、ステップＳ１０３に戻って処理を継続する。一定時間が経過していたら（ステップＳ１０９；Ｙｅｓ）、ステップＳ１０１に戻って処理を継続する。電力管理サーバ６０では、ここまでの処理の流れがループして継続される。
【００７４】
図７は、画像形成装置１０で行われる処理の流れを示している。画像形成装置１０は印刷ジョブを受け付けたら（ステップＳ２０１）、その受信した印刷ジョブをＲＩＰ処理して、該ＲＩＰ処理によって得たラスターイメージデータを蓄積、保存する（ステップＳ２０２）。この時、印刷ジョブ（ジョブ実行条件）も保存しておく。
【００７５】
この時点で、電力管理サーバ６０から受信した最新の指示が印刷の許可指示でない場合は（ステップＳ２０３；Ｎｏ）、つまり最後の指示が印刷の禁止指示であった場合は、受け付けた印刷ジョブを保留し、印刷ジョブの送信元（印刷ジョブのオーナー）に現在は印刷不可の旨を通知し（ステップＳ２０４）、ステップＳ２０３に戻って処理を継続する。なお、ステップＳ２０３とステップＳ２０４をループ中に新たな印刷ジョブを受け付けた場合は、その印刷ジョブもＲＩＰ処理して、ラスターイメージデータを蓄積、保存しておく。
【００７６】
電力管理サーバ６０から受信した最新の指示が印刷の許可指示の場合は（ステップＳ２０３；Ｙｅｓ）、ステップＳ２０５に進む。
【００７７】
ステップＳ２０５では、保留中の印刷ジョブが存在するか否かを判断する。保留中の印刷ジョブがある場合は（ステップＳ２０５；Ｙｅｓ）、ステップＳ２０６に進み、保留中の印刷ジョブがない場合は（ステップＳ２０５；Ｎｏ）、ステップＳ２１１に進む。
【００７８】
ステップＳ２０６では、保存している印刷ジョブの完了予定時刻を求める（ステップＳ２０６）。具体的には、印刷ジョブが、印刷のみの場合や、印刷と後処理を行う場合等、それぞれの場合において、１枚あたりの処理に必要とされる時間の目安を予めハードディスク装置１５に登録しておき、その目安時間を印刷予定枚数分だけ積算した時間をその印刷ジョブの実行に要する時間（印刷所要時間とする）とし、その後、その印刷ジョブの完了予定時刻を求める。複数の印刷ジョブが保留されている場合は、各印刷ジョブの印刷所要時間を計算し、ジョブの受付順にそれらの印刷ジョブを実行するとして、各印刷ジョブの完了予定時刻を求める。１番目に実行する印刷ジョブは、現在時刻に印刷所要時間を足した時刻を、その印刷ジョブの完了予定時刻として推定する。２番目に実行する印刷ジョブは、１番目に実行する印刷ジョブの完了予定時刻をその印刷ジョブの実行開始予定時刻として完了予定時刻を演算する。３番目に実行する印刷ジョブは、２番目に実行する印刷ジョブの完了予定時刻をその印刷ジョブの実行開始予定時刻として完了予定時刻を演算する。４番目移行に実行される印刷ジョブも同様にして完了予定時刻を演算する。
【００７９】
ステップＳ２０６で演算された印刷ジョブの完了予定時刻とともに、印刷要否確認通知を印刷ジョブのオーナーに発信する（ステップＳ２０７）。ここでは、印刷ジョブ毎に、その印刷ジョブの完了予定時刻を、その印刷ジョブのオーナーに通知する。印刷ジョブのオーナーは印刷ジョブを送信したＰＣ端末４０にて印刷ジョブの完了予定時刻を確認し、その時刻でも印刷ジョブの実行が必要であるか否かを確認し、画像形成装置１０に返信する。図８は、ＰＣ端末４０の表示部４６に表示される印刷要否確認通知の一例である印刷要否確認通知画面９０を示す。ユーザはこの画面にて印刷ジョブの完了予定時刻を確認する。
【００８０】
図７に戻って説明を続ける。画像形成装置１０は、印刷が必要である返信（回答）が無ければ（ステップＳ２０８；Ｎｏ）、ステップＳ２０９に進む。印刷の要否の返信自体がなく一定時間が経過していなければ（ステップＳ２０９；Ｎｏ）ステップＳ２０８に戻って処理を継続する。印刷要否確認通知を送信してから一定時間が経過するか、印刷が不要である返信があった場合は（ステップＳ２０９；Ｙｅｓ）、対象の印刷ジョブを、印刷を行わないジョブに分類し、その印刷ジョブに対応するラスターイメージデータを消去する（ステップＳ２１０）。一定時間とは、印刷ジョブの完了予定時刻に影響が少ない範囲で、たとえば３分や５分等適宜ユーザが設定すればよい。
【００８１】
印刷が必要である返信があった場合は（ステップＳ２０８；Ｙｅｓ）、ステップＳ２１１に進む。ステップＳ２１１では、印刷を行わないジョブとして分類されていない印刷ジョブを、受け付けた順に印刷して出力し、処理を終了する。
【００８２】
本発明によれば、電力管理サーバ６０は、印刷システム５全体で使用可能な電力の許容値としての許容電力使用量を設定し、各電力使用機器が使用中の電力使用量を計測し、該計測によって得た電力使用量の総和と、許容電力使用量を比較し、印刷禁止指示を出すか、印刷許可指示を出すのかを決定する。画像形成装置１０が動作中ならば、合計使用電力量が許容電力使用量を超えているか否かを調べ、超えている場合は印刷禁止指示を出し、超えていなければ印刷許可指示を出す。また、画像形成装置１０が動作中でなければ、合計使用電力量と画像形成装置１０が動作時に使用する電力量の合計が、許容電力使用量を超えているか否かを調べ、超えている場合は印刷禁止指示を出し、超えていなければ印刷許可指示を出す。
【００８３】
また、画像形成装置１０は、印刷禁止状態の時（最新の指示が印刷禁止指示である場合）に、印刷ジョブを受け付けたら、印刷が許可された後で、その印刷ジョブに基づく印刷の要否確認通知を印刷ジョブの送信元に送信し、その要否確認通知に対して印刷必要の返信があった場合は印刷を行い、印刷不要の返信があった場合もしくは返信が無い場合は、印刷を行わないように機能する。これにより、印刷システム５は、印刷を実行する際には電力使用量ピーク時間帯を回避し、なおかつ、ユーザが不要とする無駄な印刷は抑制することができる。
【００８４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８５】
本発明の実施の形態では、印刷の要否確認は、印刷が禁止されている時に印刷ジョブを受け付け、その後印刷許可が出た際に行われたが、印刷ジョブを受け付けたら直ぐに印刷要否確認通知を印刷ジョブのオーナーに送信してもよい。その時点で印刷が不要である旨の返信が来たら、その印刷ジョブに対応するラスターイメージデータを消去する。その時点で印刷が必要の返信が来るか、返信が無い場合は、印刷が許可されてから、もう一度、印刷要否確認通知を印刷ジョブのオーナーに送信してもよい。
【００８６】
また、本発明の実施の形態では、印刷要否確認通知に対する返信が無かった場合にも、印刷を行わなかったが、印刷を行ってもよい。
【００８７】
また、印刷が許可されている状態であっても、現在実行中の印刷ジョブの処理に時間がかかっている等の理由で、未完了の印刷ジョブが複数残っている時に、新たな印刷ジョブを受け付けた場合にも、その新たに受け付けた印刷ジョブの完了予定時刻と、印刷の要否確認通知を印刷ジョブのオーナーに送信し、印刷の要否を確認してもよい。
【００８８】
印刷システム５に含まれる電力使用機器は、たとえば、照明や、エアコン、床暖房等、電力を使用するものであればバッテリーで駆動しているもの以外は全て含んでもよい。
【００８９】
本発明の実施の形態では、印刷システム５に含まれていた画像形成装置１０は１台であったが、複数台あってもよい。画像形成装置１０は、小型の装置でも大型の装置でも構わない。
【００９０】
本発明の実施の形態では、電力管理サーバ６０と画像形成装置１０の２台が独立して動作していたが、電力管理サーバ６０を画像形成装置１０に組み込んで、単体として動作させてもよい。
【００９１】
所定の情報源は、本発明の実施の形態で説明したものに限らない。また、取得する情報は、電力使用可能総量情報のみに限らず、他の情報も同時に取得してもよい。たとえば、電力使用可能総量情報の他にも、印刷システム５が設置されている領域以外の領域での電力使用情報や、過去の電力使用情報等を取得し、それらの情報も参照して許容電力使用量を決定してもよい。
【符号の説明】
【００９２】
３…ＬＡＮ
５…印刷システム
１０…画像形成装置
１１…ＣＰＵ
１２…ＲＯＭ
１３…ＲＡＭ
１４…不揮発メモリ
１５…ハードディスク装置
１６…表示部
１７…操作部
１８…ネットワークＩ／Ｆ部
１９…画像読取部
２０…給紙部
２１…印刷部
２２…ＡＤＦ
２３…後処理部
４０…ＰＣ端末
４１…ＣＰＵ
４２…ＲＯＭ
４３…ＲＡＭ
４４…不揮発メモリ
４５…ハードディスク装置
４６…表示部
４７…操作部
４８…ネットワークＩ／Ｆ部
６０…電力管理サーバ
６１…制御部
６２…ＲＯＭ
６３…ＲＡＭ
６４…記憶部
６５…ネットワークＩ／Ｆ部
６６…電力使用可能総量情報取得部
６７…使用電力量測定部
６８…許容電力使用量決定部
６９…印刷許可判定部
７０…使用許可/禁止指令部
７１…時刻管理部
８０…コピー機
８１…プリンタ
８２…プロッタ
９０…印刷要否確認通知画面
【図１】
0005494989.tif 000002
【図２】
0005494989.tif 000003
【図３】
0005494989.tif 000004
【図４】
0005494989.tif 000005
【図５】
0005494989.tif 000006
【図６】
0005494989.tif 000007
【図７】
0005494989.tif 000008
【図８】
0005494989.tif 000009